Podtech/llm-jp-corpus-v4-ja_patent huggingface dataset:
(57)【要約】      （修正有）【課題】足の筋肉を鍛える事が出来る履物を提供する。【解決手段】履物の底に硬質板（反りにくい板）を設け、それにベルト（伸縮材）を取り付けた履物。履物の底（５）に硬質板（反りにくい板）（３）を設け、ベルト（伸縮材）（２）を取り付けて足を通し、足の先や足の甲を上下させ、ベルト（伸縮材）（２）を伸縮することにより筋肉を鍛える事を特徴とする。【選択図】図１
0003124739.tif 000002
【実用新案登録請求の範囲】
【請求項１】
履物の底に、硬質板（反りにくい板）を設けて、それにベルト（伸縮材）を取り付けた構造を有する履物。
【考案の詳細な説明】
〔考案の属する技術分野〕
【０００１】  本考案の履物は、履きながら足の筋肉を鍛える事が出来る履物。
〔従来の技術〕
【０００２】  従来は、履物で足先の甲の上部筋肉や足首の筋肉を鍛える履物は無かった。
【考案が解決しようとする課題】
【０００３】  本考案は、履物を履きながら、足先の甲の上部筋肉や足首の筋肉を鍛える事を目的とする。
〔考案が解決するための手段〕
【０００４】  履物の底（５）に硬質板（反りにくい板）（３）を設け、ベルト（伸縮材）（２）を取り付けて足を通し、足の先や足の甲を上下させ、ベルト（伸縮材）（２）を伸縮することにより筋肉を鍛える事を特徴とする。
〔考案の実施の形態〕
【０００５】    本考案は、前述の手段を講じたので、使用に際しては、履物（２）に足をベルト（伸縮材）に通し〔図１で示す〕、足先（つま先）を引き上げてベルト（伸縮材）（１）を伸ばす〔図２で示す〕、又は、足の甲全体を引き上げる〔図３で示す〕、歩く時もかかとのベルト（伸縮材）（１）を引き伸ばし〔図４で示す〕伸縮する事により、足の筋肉を鍛える事が出来る。
【図面の簡単な説明】
【図１】本考案の全体側面図。
【図２】本考案を使用して、つま先だけを引き上げてる運動側面図。
【図３】本考案を使用して、足の甲全体を引き上げてる運動側面図。
【図４】本考案を使用して、かかとを引き上げてる運動側面図。
【図５】本考案の明細図。
【符号の説明】
１・・・ベルト（伸縮材）
２・・・履物
３・・・硬質板（反りにくい板）
４・・・足
５・・・底
【図１】
0003124739.tif 000003
【図２】
0003124739.tif 000004
【図３】
0003124739.tif 000005
【図４】
0003124739.tif 000006
【図５】
0003124739.tif 000007
【手続補正書】
【提出日】平成18年5月7日(2006.5.7)
【手続補正１】
【補正対象書類名】実用新案登録請求の範囲
【補正対象項目名】全文
【補正方法】変更
【補正の内容】
【実用新案登録請求の範囲】
【請求項１】
履物の底に、硬質板を設けて、それにゴムベルトを取り付けた構造を有する履物。
【手続補正２】
【補正対象書類名】明細書
【補正対象項目名】全文
【補正方法】変更
【補正の内容】
【考案の詳細な説明】
【技術分野】
【０００１】  本考案の履物は、履きながら足の筋肉を鍛える事が出来る履物。
【背景技術】
【０００２】  従来は、履物で足先の甲の上部筋肉や足首の筋肉を鍛える履物は無かった。
【考案が解決しようとする課題】
【０００３】  本考案は、履物を履きながら、足先の甲の上部筋肉や足首の筋肉を鍛える事を目的とする。
【考案が解決するための手段】
【０００４】  履物の底に硬質板（３）を設け、ゴムベルト（１）を取り付けて足を通し、足の先や足の甲を上下させ、ゴムベルト（１）を伸縮することにより筋肉を鍛える事を特徴とする。
【考案を実施するための最良の形態】
【０００５】    本考案は、前述の手段を講じたので、使用に際しては、履物（２）に足をゴムベルト（１）に通し、足先を引き上げてゴムベルト（１）を伸ばす、又は、足の甲全体を引き上げる、歩く時もかかとのゴムベルト（１）を引き伸ばし伸縮する事により、足の筋肉を鍛える事が出来る。
【図面の簡単な説明】
【０００６】
【図１】本考案の全体側面図。
【図２】本考案を使用して、つま先だけを引き上げる運動側面図。
【図３】本考案を使用して、足の甲全体を引き上げる運動側面図。
【図４】本考案を使用して、かかとを引き上げる運動側面図。
【図５】本考案の全体図。
【符号の説明】
１・・・ゴムベルト
２・・・履物
３・・・硬質板
４・・・人の足
【手続補正３】
【補正対象書類名】図面
【補正対象項目名】全図
【補正方法】変更
【補正の内容】
【図１】
0003124739.tif 000008
【図２】
0003124739.tif 000009
【図３】
0003124739.tif 000010
【図４】
0003124739.tif 000011
【図５】
0003124739.tif 000012
(57)【要約】      （修正有）【課題】花瓶兼用の香炉において、香炉として使用する部分と花器として使用する部分とを兼用できるようにすること【解決手段】２枚の並行な平面壁２，３と両壁を連結する側壁４とを一体に形成し、平面壁を直立させた状態において側壁の上部に開口部を設け、花木投入口及び／又は香煙排出口を備えた蓋５をこの開口部に着脱可能に装置した【選択図】図１
0003124707.tif 000002
【実用新案登録請求の範囲】
【請求項１】
２枚の並行な平面壁と両壁を連結する側壁とを一体に形成し、平面壁を直立させた状態において側壁の上部に開口部を設け、花木投入口及び／又は香煙排出口を備えた蓋をこの開口部に着脱可能に装置した花瓶兼用の香炉。
【請求項２】
平面壁及び側壁を陶器又は陶磁器で形成した請求項１に記載の花瓶兼用の香炉。
【考案の詳細な説明】
【技術分野】
【０００１】
本考案は、花瓶兼用の香炉に関するものである。
【背景技術】
【０００２】
この種の香炉としては、特許文献１に開示されたものが知られている。
この公知の香炉は、釣り鐘状のタワーの下端部の正面に線香又は香を焚く入り口を設け、タワーの上部にカップを載置一体化し、カップを花器として使用できる構成を採用している。
【０００３】
しかしながら、この香炉では、香炉部分と花器部分とが別々に形成されていて、一方のみを使用しようとする場合には、他方を「空」ないし「不使用」のまま露出させておかなければならない不都合があり、装飾ないし置物としての機能を果たす香炉や花器に対して違和感をもたせてしまう不都合があった。
また、花器が香炉の上に載置されていて、縦長で頭部が大きい置物となっているから、置物としては不安定な形態となる不都合もあった。
【特許文献１】特開平9-422 号公報
【考案の開示】
【考案が解決しようとする課題】
【０００４】
本考案は、花瓶兼用の香炉において、香炉として使用する部分と花器として使用する部分とを兼用できるようにすることを課題としたものである。
【課題を解決するための手段】
【０００５】
この技術的課題を解決するための技術的手段は、（イ）２枚の並行な平面壁と両壁を連結する側壁とを一体に形成し、（ロ）平面壁を直立させた状態において側壁の上部に開口部を設け、（ハ）花木投入口及び／又は香煙排出口を備えた蓋をこの開口部に着脱可能に装置したこと、である。
第二の技術的手段は、上記の手段において、平面壁及び側壁を陶器又は陶磁器で形成したこと、である。
【０００６】
この技術的手段における花瓶兼用の香炉（以下単に「兼用香炉」という）は、２枚の平面壁と両壁を連結する側壁とで構成されていて、平面壁を直立させた状態において側壁の上部が開口しているから、兼用香炉はこの開口部から花を生ける花瓶として利用することができる。
兼用香炉は蓋に花木投入口及び／又は香煙排出口が装置されているから、縦向き又は横向きのいずれの状態であっても通気を確保することができる。したがって、その中で線香などを焚くことが可能となり、蓋を使用したまま香炉として使用できることになる。
【０００７】
また、平面壁は並行に配置されているから、兼用香炉は平面壁を直立させられる他、一方の平面壁を底面として横向きに置くことができる。この場合、他方の平面壁は天井部を構成するから、装飾用の台座としての機能を発揮させることができる。
【０００８】
蓋が花木投入口を備えている場合には、蓋をしたままこの投入口を利用して花を生けることが可能となる。
また、蓋が香煙排出口のみを備えている場合には、蓋をしたままで香炉として使用し、花を生ける場合には蓋をとることになる。
もちろん、蓋に花木投入口と香煙排出口とを設けた場合には、双方の作用を奏することができる。
【０００９】
平面壁の形状は円形、方形その他の形状を採用することができる。これに対応して側壁で囲まれる形状が適宜選択されることになる。なお、兼用香炉を立てて使用する際にこれを安定させるために、兼用香炉のした部を重くしたり、転動を防止するための突起を突出させたり、或いは底ブフラットにしておくことが望ましい。
花木投入口や香煙排出口は、蓋に孔を穿設したり蓋の側縁に切欠きを設けることによって形成することができる。
【００１０】
この兼用香炉を陶器又は陶磁器で形成しておくと、装飾用の台座として使用する場合の強度を確保できるし、線香を焚いた場合に底面が集中的に加熱されるのを防止することができる。
【考案の効果】
【００１１】
香炉として使用する部分と花器として使用する部分とが兼用され、その部分に水を入れて花器として使用し、また線香を焚いて香炉として使用できるから、花器としても香炉としても自然な外観が得られる利点があり、また、それ自身を置物としても利用することができる。
また、香炉を横向きにして使用した場合には平面壁を台座として使用できるため、その上に装飾材を載置したり別の花瓶を置くことが可能となって、変化に富んだ利用方法によって香と装飾とを同時に楽しめる利点もある。
【実施例１】
【００１２】
図１は兼用香炉１の斜視図、図２は一方の平面壁２を取り除いた正面図である。
平面壁２、３及びその間の空間を囲む囲繞壁４並びに蓋体５は、いずれも陶器で制作している。この実施例では、直径約２０cmの正面視円形に形成してあって、兼用香炉１を立てて使用する際に安定させられるように、下面をフラットに形成している。
【００１３】
蓋体５の下端は、兼用香炉１の高さの約三分の二のところに位置させてあって、下端に形成したカギ状の段部６を囲繞壁４の上縁に係合させるようにしている。
蓋体５の頂部には花を生けられる程度の大きさの切欠き７を形成している。
この実施例では、花瓶として使用する場合にはこのまま中に水を入れ、蓋体５を付けたまま或いは蓋体５を外して花を生けることになる。香炉として使用する場合には、中に水の入れずに立てたまま又は横向きに置き、蓋体５を外して線香を入れて再び蓋体を取り付けて焚くことになる。
【実施例２】
【００１４】
図３に示した兼用香炉１１は、蓋体５に香煙のみを排出するための小さい孔８、８を穿設したものである。この兼用香炉１１で花を生ける場合には、蓋体５を外して使用する必要がある。
香炉として使用する場合には前記実施例と同じである。
【実施例３】
【００１５】
図４に示した兼用香炉１２は、図１に示した兼用香炉５における平面壁２の上部に切欠き７に連続する切欠き部９を形成したものである。
この構成では、図示の状態で花を生ける場合に、花の茎を前方へ傾斜させて生けることが可能となり、変化に富んだ生け花を楽しむことができる。
他方、香炉として使用する場合には、香煙を切欠き部９からも出させることができるから、香煙の流れにも変化を持たせられる利点がある。
【図面の簡単な説明】
【００１６】
【図１】兼用香炉の斜視図
【図２】平面壁を除去した兼用香炉の正面図
【図３】蓋に香煙排出口のみを設けた兼用香炉の斜視図
【図４】平面壁に切欠き部を設けた兼用香炉の斜視図
【符号の説明】
【００１７】
1、11、12兼用香炉、   2、３平面壁、  ４側壁、  ５蓋体、  ６蓋体下端のカギ状段部、  ７花木投入口、  ８香煙排出口、  ９平面壁に設けた切欠き部
【図１】
0003124707.tif 000003
【図２】
0003124707.tif 000004
【図３】
0003124707.tif 000005
【図４】
0003124707.tif 000006
(57)【要約】      （修正有）【課題】本考案は、柔軟性のあるホースを用いて、使いやすく、又、取り外し取り付けが簡単であり、掃除及びメンテナンスが容易である二重ホースを提供する。【解決手段】固定的な二重管でなく、柔軟性のある二重ホースを用い、着脱自在で、掃除をしばしば行うことができ、メンテナンスが今までのものよりずっと楽になった。取付部はホースの両端にあるが、第１接手、第２接手、第３接手の３つの接手により、特に工具を使わず、人の手により簡単にホースが着脱できる。これにより、衛生さと生産性が向上し、コストダウンにもつながるものである。【選択図】図１
0003124760.tif 000002
【実用新案登録請求の範囲】
【請求項１】
柔軟性のある二重ホースの両端に第１接手、第２接手、第３接手による取付部を形成し、手で着脱自在であるチョコレイト等の製造に用いる二重ホース。
【考案の詳細な説明】
【技術分野】
【０００１】  本考案は、チョコレイト等の製造に用いる二重ホースに関する。
【背景技術】
【０００２】  チョコレイトを製造工程内で保温しながら移動するには、今まで、ジャケット配管という鉄製等金属性の二重パイプを用いていた。外側に温水を流し、内側の金属管にチョコレイトを流していた。しかし、金属管は取り外して掃除することが容易でなく、金属管同士が交差しぶつかる時は避けるのが大変でどうしようもなかった。【特許文献１】今までの特許は金属管の二重パイプに関するものが殆んど全てで、柔軟性のある二重ホースのものは全くない。
【非特許文献１】各社のパンフレット等多数あるが、皆金属管の二重パイプに関するものである。
【考案の開示】
【考案が解決しようとする課題】
【０００３】  本考案は、金属管の代わりに柔軟性のあるホースを用い、その二重ホースにより、容易に曲ったりまっすぐになったりして、使いやすく、又、取り外し取り付けが簡単なので、掃除が容易である。掃除が容易なので、各製品の品質の向上にも繋がり、金属管の使いづらさを克服する。メンテナンスが大変楽である。
【課題を解決するための手段】
【０００４】  本考案は、柔軟性のある二重ホースの両端に第１接手、第２接手、第３接手による取付部を形成し、手で、着脱自在であるチョコレイト等の製造に用いる二重ホースに関する。
【考案の効果】
【０００５】  二重ホースは、脱着が容易であり、しばしば掃除でき、柔軟なので、ホースとホースが交差しぶつかっても何ら問題はない。金属管の場合は、２つの管がぶつかった時はしようがない。ホースは自由に屈曲しメンテナンスが楽であり、脱着は手で行え、特別な工具を使わないので、掃除が簡単に行え楽である。管を使っておくと、雑菌が沸くので、この脱着による掃除が容易であることは本考案の有用な効果である。又、金属管は少量、多様な製品には耐えられず、品種の変化に弱いが、それに反し、本二重ホースは、少量、多品種製造に非常に向いているものである。  ジャケット配管という金属性の配管は固定しているので、品種の異なる幾種もの配管で天井は一杯になり、乱雑になり、その生産性の悪さは大変なものであった。
【考案を実施するための最良の形態】
【０００６】  取付部は、溶接用ヘルール１の内側に３つの接手があり、第１接手２は内ホース接手であり、溶接用ヘルール１に接続し、且つ第２接手に接続し、第２接手３は、中間ホース接手であり、横より見てＬ字状をなし、第１接手に接続し、第３接手に接続する。  第３接手４は、一番内側の接手であり、横に行き、縦に行き、横に行くといった断面を持ち、二重ホースの外側のホース５をしっかり保持する。内側のホース６は、第１接手２に喰い込み、第２接手３に押えられ、第１接手２と第２接手３によりしっかり保持される。【０００７】  図中７は、温水用ソケットであり、温水はここより入り、外側のホース５と内側のホース６の間を流れる。又、第２接手３の内側のホース６が当る部分は、第１接手も内側にあり、強くプレスにより圧着され、圧着部８を形成し、かしめられ、その密着性が高められ、これにより、内側の材料が混ざり合わない。【０００８】  この接手類が二重ホースの両端に付き、ホースは完成する。又、９はホースバンドであり、二重ホースを保持する。
【産業上の利用可能性】
【０００９】  本考案は、今までになかった、着脱自在を実現し、容易にはずして、掃除が出来るので、その機能性は絶大であり、又、その容易に曲ることが出来る柔軟性により、使い易さは絶大であり、広く、この技術分野で用いられると思う。
【図面の簡単な説明】
【００１０】
【図１】ホースの端部の取付け部分を示す断面図である。
【図２】３つの接手の構成を示す断面図である。
【図３】使用の状態を示す斜視図である。
【符号の説明】
【００１１】１  溶接用ヘルール２  第１接手３  第２接手４  第３接手５  外側のホース６  内側のホース７  温水用ソケット８  圧接部９  ホースバンド
【図１】
0003124760.tif 000003
【図２】
0003124760.tif 000004
【図３】
0003124760.tif 000005
(57)【要約】【課題】  従来の照明を利用して装飾効果を高めたものに比べ、より模様への照明効果が際立って、且つ有効に作用する構成とした額を提供せんとする。【解決手段】  額は、表面から鏡３、無機エレクトロルミネッセンス（無機ＥＬ）層を有する面発光シート６及び裏蓋８で構成する。鏡３の裏面には金属蒸着層５を刻削した絵画・文字等の模様１０が表示されている。また、絵画・文字等の模様１０を表示する刻削１１，７の深さが、鏡３のガラス層４に至る範囲で深浅に形成することも可能であり、金属蒸着層５の一部分を剥離して形成した窓枠１５内に写真１６を挿着したものとしてもよい。【選択図】  図２
0003124097.tif 000002
【実用新案登録請求の範囲】
【請求項１】
表面から鏡、無機エレクトロルミネッセンス層を有する面発光シート及び裏蓋で構成され、鏡の裏面には金属蒸着層を刻削した絵画・文字等の模様が表示されていることを特徴とする額。
【請求項２】
絵画・文字等の模様を表示する刻削の深さが、鏡のガラス層に至る範囲で深浅に形成されていることを特徴とする請求項１記載の額。
【請求項３】
金属蒸着層の一部分を剥離して形成した窓枠内に写真を挿着したことを特徴とする請求項１又は２記載の額。
【考案の詳細な説明】
【技術分野】
【０００１】
本考案は額に関するものであり、詳しくは鏡としても利用可能で装飾効果にも優れた額に関するものである。
【背景技術】
【０００２】
額に装飾的効果を高めるために工夫されたものには、例えば実用新案登録第３０９７８１２号があり、鏡の裏面にエッチング加工した絵・文字をバックライトにより照明で照射したアートミラーボードがあり、更に、前記エッチング加工部に直接色付けを施したり、バックライトと鏡の間にカラーフィルムを貼着した透明アクリル板を介装したものが開示されている。
【０００３】
また、実用新案登録第３０１８３５５号では、光透過性板ガラスの背面にガラス面を彫りこんで形成した凹凸模様に照明でライティングして、絵模様に陰影効果を施した額縁ケースが開示されている。
【考案の開示】
【考案が解決しようとする課題】
【０００４】
本考案は従来の照明を利用して装飾効果を高めたものに比べ、より模様への照明効果が際立って、且つ有効に作用する構成とした額を提供せんとするものである。
【課題を解決するための手段】
【０００５】
本考案の額は、表面から鏡、無機エレクトロルミネッセンス（無機ＥＬ）層を有する面発光シート及び裏蓋で構成され、鏡の裏面には金属蒸着層を刻削した絵画・文字等の模様が表示されていることを特徴とするものである。
また、絵画・文字等の模様を表示する刻削の深さが、鏡のガラス層に至る範囲で深浅に形成することも可能であり、金属蒸着層の一部分を剥離して形成した窓枠内に写真を挿着したものとしてもよい。
【考案の効果】
【０００６】
本考案は額の前面に鏡を配置したため通常の鏡としての作用効果を得られ、また、裏面に金属蒸着層を刻削した絵画・文字等の模様が表示されているから、非刻削部分で鏡の機能を発揮すると同時に、鏡に刻削した模様により装飾効果も得られるのである。
そして、無機エレクトロルミネッセンス層に通電すればシート全面が発光し、刻削部分から前面に光が等しく透過し、発光して際立った模様が看取されるものとなる。
【０００７】
また、無機エレクトロルミネッセンス層を有する面発光シートは、鏡と裏蓋との間に介在しているため可撓性を有していてもしっかりと張設され、別の発光色に取り替えも容易であり、複数色の面発光シートを組み合わせて介在させることも可能であって、多様な発光を容易に創出できる効果を発揮するものである。
【０００８】
絵画・文字等の模様を表示する刻削の深さが、鏡のガラス層に至る範囲で深浅に形成することにより、刻削面が発光を受けて輝き、刻削の深浅でガラスを透過する光に強弱変化が生じて装飾効果を増大させるものである。
更に、金属蒸着層の一部分を剥離して形成した窓枠内に写真を挿着すれば、写真も光を受けて明るく輝き明瞭に看取できると共に、写真の存在感を高める効果を期待できるものとなる。
【考案を実施するための最良の形態】
【０００９】
次に、本考案の実施の一形態を図面に基づいて説明する。
図1は本考案の実施の一形態を示す正面図、図2は一部拡大断面図である。
額縁１の内装部２に鏡３を、ガラス層４を表側に、金属蒸着層５を裏面側に配置して嵌挿し、鏡３の裏面に無機エレクトロルミネッセンス（無機ＥＬ）層を有する面発光シート６を、金属蒸着層５と接して配設し、更に裏蓋８で面発光シート６を鏡３で挟持すると共に、段部９に止着部材で固定している。
【００１０】
鏡３の裏面には絵・文字などの模様１０が金属蒸着層５を剥ぎ取って描かれている。
金属蒸着層５を剥ぎ取る手段は適宜の刻削具を用いて可能であり、刻削１１は少なくとも金属蒸着層５を剥ぎ取る必要はあるけれど、ガラス層４に至る刻削７としたものであっても良く、幅の太細に、刻削の深浅によって線の強弱を加えて多様な模様を表現できる。
【００１１】
面発光シート６には、無機エレクトロルミネッセンス層へ電流を通す電極が配設され、電気コード１２が裏蓋８の切り欠きから放出されインバータ１３を介在させて先端のプラグ１４により電源に連繋できるものとしてある。
【００１２】
通常は額に装着した表面の鏡３の金属蒸着層５が外部光を反射し、鏡としての作用が強く感じられ、模様１０がさほど目立たずに付随的な鏡の模様として映っている。
しかし、面発光シート６に電流を通すとシート前面が発光して鏡３の金属蒸着層５の刻削された部分から光が透過し、模様１０が輝いて外部から明瞭に看取できるものとなるのである。
【００１３】
図３は他の実施の形態を示す一部斜視図であり、鏡３の金属蒸着層５の一部分を四角枠１５に剥ぎ取って、この四角枠１５に写真１６の表面を当て、面発光シート６及び裏板８を順次当てて止着するものである。
この場合、写真１６の部分も光が少しは透過するため、金属蒸着層５の在る部分と比べて写真全体が明るくなる一方、他の模様部分と比べると明度が落ちるけれど、柔らかい光となって写真を浮き立たせる作用を奏するのである。
【図面の簡単な説明】
【００１４】
【図１】本考案の実施の一形態を示す正面図である。
【図２】図1の一部拡大断面図である。
【図３】本考案の他の実施の形態を示す斜視図である。
【符号の説明】
【００１５】
１        額縁
２        内装部
３        鏡
４        ガラス層
５        金属蒸着層
６        面発光シート
７、１１  刻削
８        裏蓋
９        段部
１０        模様
１２        電気コード
１３        インバータ
１４        プラグ
１５        四角枠
１６        写真
【図１】
0003124097.tif 000003
【図２】
0003124097.tif 000004
【図３】
0003124097.tif 000005
(57)【要約】【課題】隠蔵式ブレーキを有する自転車フレームを提供する。【解決手段】隠蔵式ブレーキを有する自転車フレームであって、ブレーキとフレームからなり、フレームは前ブレーキ台座管で、台座管は二又部の接続位置に定位孔を有し、定位孔はブレーキを枢設定位し、自転車の台座管の二又部の上端にそれぞれ、容置孔を設置し、容置孔はそれぞれブレーキのブレーキベルトを容置し、ブレーキのワイヤの作動により、ベルトは各容置孔を伸出すると共に、タイヤに対しブレーキを掛ける。【選択図】図１
0003124072.tif 000002
【実用新案登録請求の範囲】
【請求項１】
隠蔵式ブレーキを有する自転車フレームであって、ブレーキとフレームからなり、
前記フレームは前ブレーキ台座管で、前記台座管は二又部の接続位置に定位孔を有し、前記定位孔は前記ブレーキを枢設定位し、自転車の前記台座管の二又部の上端にそれぞれ、容置孔を設置し、前記容置孔はそれぞれ前記ブレーキのブレーキベルトを容置し、前記ブレーキのワイヤの作動により、前記ベルトは各容置孔を伸出すると共に、タイヤに対しブレーキを掛けることを特徴とする隠蔵式ブレーキを有する自転車フレーム。
【請求項２】
更に、封蓋を有し、前記封蓋は前記定位孔上に蓋設されることを特徴とする請求項１に記載の隠蔵式ブレーキを有する自転車フレーム。
【請求項３】
前記フレームは後上台座管で、前記ブレーキが前記後上台座管内に装設されることを特徴とする請求項１に記載の隠蔵式ブレーキを有する自転車フレーム。
【請求項４】
前記フレームは後下台座管で、前記ブレーキは前記後下台座管内に装設されることを特徴とする請求項１に記載の隠蔵式ブレーキを有する自転車フレーム。
【考案の詳細な説明】
【技術分野】
【０００１】
本考案は、自転車フレームに関するものであって、特に、隠蔵式ブレーキを有する自転車フレームに関するものである。
【背景技術】
【０００２】
公知の自転車のブレーキ構造は種類も多く、図５で示されるように、自転車の前ブレーキ台座管７０にブレーキ８０を設置し、ブレーキ８０は二つのブレーキベルト８１を有し、ブレーキ８０のワイヤ８２の作動により、ワイヤベルト８１はタイヤ９０に対しブレーキの効果を達する。
【０００３】
公知のブレーキ８０はタイヤ９０に対しブレーキ効果を有するが、ブレーキ８０は外に露出しているので、自転車の外観に影響があるだけでなく、風圧も大きく、また、使用者がブレーキ８０に接触したり怪我したりする危険もあり、安全性にも問題がある。
【考案の開示】
【考案が解決しようとする課題】
【０００４】
本考案は、ブレーキが隠蔵式で、風の抵抗を減少させ、且つ、全体の重量を軽減させる隠蔵式ブレーキを有する自転車フレームを提供することを目的とする。
【０００５】
本考案は美観を増加した隠蔵式ブレーキを有する自転車フレームを提供することをもう一つの目的とする。
【課題を解決するための手段】
【０００６】
隠蔵式ブレーキを有する自転車フレームであって、ブレーキとフレームからなり、フレームは前ブレーキ台座管で、台座管は二又部の接続位置に定位孔を有し、定位孔はブレーキを枢設定位し、自転車の台座管の二又部の上端にそれぞれ、容置孔を設置し、容置孔はそれぞれブレーキのブレーキベルトを容置し、ブレーキのワイヤの作動により、ベルトは各容置孔を伸出すると共に、タイヤに対しブレーキを掛ける。
【考案の効果】
【０００７】
本考案のブレーキは隠蔵式で、使用中の風の抵抗を減少させ、且つ、全体の重量を軽減させることができ、更に、美観も増加する。
【考案を実施するための最良の形態】
【０００８】
図１〜図３は本考案の隠蔵式ブレーキを有する自転車フレームを示す図で、ブレーキ１０とフレームからなる。
【０００９】
ブレーキ１０は公知のブレーキと同様であるのでここに詳述しない。
【００１０】
フレームは前ブレーキ台座管２０で、台座管２０は二又部２１の接続位置に定位孔２００を有する。定位孔２００はブレーキ１０を枢設定位し、自転車の台座管２０の二又部２１の上端にそれぞれ、容置孔２１１を設置する。容置孔２１１はそれぞれブレーキ１０のブレーキベルト１１を容置し、ブレーキ１０のワイヤ１００の作動により、ベルト１１は各容置孔２１１を伸出すると共に、タイヤ３０に対しブレーキを掛ける。
【００１１】
更に、封蓋４０を有し、封蓋４０は定位孔２００上に蓋設され、ブレーキ１０が台座管２０に隠閉される（図１で示される）。
【００１２】
ブレーキ１０は自転車の上後台座管５０、或いは、下後台座管６０内にも装設され、前述の使用効果を達成する（図４で示される）。
【００１３】
上述のような構造により、図１〜図３で示されるように、使用者がブレーキをかける時、ベルト１１が各容置孔２１１を伸出してタイヤ３０にブレーキがかかる。
【００１４】
ブレーキ１０のベルト１１は前ブレーキ台座管２０の定位孔２００中に装設され、且つ、ブレーキ１０のベルト１１は台座管２０の二又部２１の上端の容置孔２１１内に容置されるので、ブレーキ１０全体を隠蔵式にし、使用時の風の抵抗を抑え、全体の重量を減少させると同時に、美観も増加させることができ、機械式ブレーキや油圧式ブレーキ上の使用にも適し、実用性がある。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１６】
【図１】本考案の立体分解図である。
【図２】本考案の立体組み合わせ図である。
【図３】本考案の実施例のブレーキ操作外観図である。
【図４】本考案にもう一つの実施例によるブレーキ装設を示す図である。
【図５】公知のブレーキ装設を示す図である。
【符号の説明】
【００１７】
本考案
１０…ブレーキ
１１…ベルト
２０…前ブレーキ台座管
２１…又部
３０…タイヤ
４０…封蓋
５０…後上台座管
６０…後下台座管
１００…ワイヤ
２１１…容置孔
公知
７０…前ブレーキ台座管
８０…ブレーキ
８１…ベルト
８２…ワイヤ
９０…タイヤ
【図１】
0003124072.tif 000003
【図２】
0003124072.tif 000004
【図３】
0003124072.tif 000005
【図４】
0003124072.tif 000006
【図５】
0003124072.tif 000007
(57)【要約】      （修正有）【課題】マッサージ、排汗効果を有する布の構造を提供する。【解決手段】マッサージ効果、排汗効果のある布構造であって、その特徴は、布の外層は、通気性、不通気性の材質で、内層は通気性のある立体メッシュ布で、メッシュ布内層と人体皮膚接触面全面に、交差排列した凸点２１２を設け、外層２０と内層２１が結合されて、人体に着用する時、立体メッシュ布内層の凸点は、直接人体と接触し、人体の微細血管をマッサージして、血行を促進し、同時に、布内層が有する通気性と、凸点間のギャップにより排汗効果により、着用時に不快感がない。【選択図】図２
0003124078.tif 000002
【実用新案登録請求の範囲】
【請求項１】
マッサージ効果、排汗効果のある布構造であって、その特徴は、前記布の外層は、通気性、不通気性の材質で、内層は通気性のある立体メッシュ布で、且つ、前記内層の人体皮膚接触面全面に、交差排列した凸点を設け、前記外層と前記内層は粘合、ファスナー、ボタン等の方式で結合されることを特徴とする布構造。
【請求項２】
前記内層の皮膚接触面に設けられた凸点は、円形、四角形、或いは、その他の形状に変化できることを特徴とする請求項１に記載の布構造。
【考案の詳細な説明】
【技術分野】
【０００１】
本考案は、布の改良構造に関するものであって、特に、マッサージ、排汗効果を有する布の構造で、通気、或いは、不通気材質の外層と通気材質の立体メッシュ内層を結合させ、通気性が好ましく、排汗が容易で、且つ、マッサージ効果を有する布の構造に関するものである。
【背景技術】
【０００２】
一般の補正効果のある下着が使用する布１は、図１で示されるように、PU外層１０とジャージー、或いは、ナイロンの内層１１を粘合してなる。着用時、ジャージー布、ナイロン布の内層１１は直接人体と接触し、不通気性の特性により、着用者が汗をかくと、排汗ができず、不快感がある。
【考案の開示】
【考案が解決しようとする課題】
【０００３】
本考案は、布の改良構造を提供し、公知の補正下着や一般の衣料布が人体と接触した時に、通気性がなく、排汗しにくいという不快感を改善することを目的とする。
【課題を解決するための手段】
【０００４】
本考案のマッサージ効果、排汗効果のある布構造は、布の外層は、通気性、不通気性の材質で、内層は通気性のある立体メッシュ布で、メッシュ布内層と人体皮膚接触面全面に、交差排列した凸点を設け、外層と内層が結合されて、人体に着用する時、立体メッシュ布内層の凸点は、直接人体と接触し、人体の微細血管をマッサージして、血行を促進し、同時に、布内層が有する通気性と、凸点間のギャップにより排汗効果により、着用時に不快感がない。
【考案の効果】
【０００５】
本考案により、マッサージ効果、排汗効果のある布が得られ、着用時の不快感を改善する。
【考案を実施するための最良の形態】
【０００６】
図２で示されるように、本考案のマッサージ効果、排汗効果を有する布の構造は、布２の外層２０が通気、或いは、不通気材質で、内層２１は通気性のある立体メッシュ布である。且つ、内層２１は人体の皮膚接触面２１１全面に、交差排列された凸点２１２を設け、外層２０と内層２１は、粘合、ファスナー、或いは、ボタン等の結合方式でマッサージ効果、排汗効果を有する布２を構成する。
【０００７】
図３、図４で示されるように、内層２１の皮膚との接触面２１１が設ける凸点２１２は、円凸点２１３、四角形凸点２１４、或いは、或いは、その他の形状に変化させてもよい。
【０００８】
図５、図６で示されるように、本考案の布２で製造された補正下着３、或いは、一般の下着を着用する時、内層２１の凸点２１２の接触面２１１と皮膚が接触し、接触時、以下のような作用がある。
【０００９】
１．接触面２１１が設ける凸点２１２と人体の皮膚接触時、微細血管をマッサージする作用を発揮し、血液循環を促進する。
２．本考案の布２が一般の下着に使用される時、内層２１の接触面２１１が設ける凸点２１２は、人体と摩擦を生じてマッサージ効果を得る。
３．接触面２１１は、全面に交差排列した凸点２１２を設け、人体と接触時、皮膚と緊密貼合せず、凸点２１２と凸点２１２間のギャップ２１５により排汗し、排汗効果が好ましい。
４．内層２１の立体メッシュ布は通気性がよく、補正下着３、或いは、一般の下着に使用するとき、好ましい通気性があり、着用時、不快感がない。
５．布２の使用時、布が引張られても、その接触面２１１が設ける凸点２１２は人体の微細血管をマッサージする効果があり、血液循環を促進する。
６．本考案の布２は、ボディコンシャスな服、そうでない衣服に使用できるほか、ふくらはぎ用、二の腕用、その他部位用、或いは、一般の衣服に使用できる。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１１】
【図１】公知の立体図である。
【図２】本考案の立体図である。
【図３】本考案のもう一つの実施例図である。
【図４】本考案の更にもう一つの実施例図である。
【図５】本考案の使用状態図（一）である。
【図６】本考案の使用状態図（二）である。
【符号の説明】
【００１２】
１      布
１０    外層
１１    内層
２      布
２０    外層
２１    内層
２１１  接触面
２１２  凸点
２１３  円形凸点
２１４  四角形凸点
２１５  ギャップ
３      補正下着
【図１】
0003124078.tif 000003
【図２】
0003124078.tif 000004
【図３】
0003124078.tif 000005
【図４】
0003124078.tif 000006
【図５】
0003124078.tif 000007
【図６】
0003124078.tif 000008
(57)【要約】【課題】全体の強度が向上され、駆動する時、震動や振れが低減されるクラッチドラムを提供する。【解決手段】既存の草刈機のクラッチドラムにおいて、二つのパーツを半田付けする構造により、伝動が安定的ではない欠点である課題を解決できるクラッチドラムであって、クラッチアッセンブリーは推進ボウル部が含有され、推進ボウル部の中間から外へ垂直的に一体成型である棒状の連接部が延伸され、連接部内に刃駆動軸を結合するための多角孔が貫設され、使用する時、草刈機の刃駆動軸を連接部に挿設し、モーターが直接に駆動する遠心ピボット部品を推進ボウル部に結合することにより、刃駆動軸を結合するための連接部が推進ボウル部と一体成型である。【選択図】図１
0003124074.tif 000002
【実用新案登録請求の範囲】
【請求項１】
推進ボウル部が含有され、当該推進ボウル部の中間から外へ垂直的に、一体成型である連接部が延伸され、当該連接部内に、刃駆動軸を結合するための多角孔が貫設される、
ことを特徴とするクラッチドラム。
【請求項２】
当該連接部は、当該推進ボウル部の中間から外へ伸ばす円形状の強化体と、当該強化体から外へ伸ばす棒部とが含有されることを特徴とする請求項１に記載のクラッチドラム。
【考案の詳細な説明】
【技術分野】
【０００１】
本考案は、草刈機のクラッチ構造に関し、特に、一体成型であるクラッチドラムに関する。
【背景技術】
【０００２】
既存の草刈機は、エンジンと前端の刈り刃との間に、遠心クラッチによって伝動され、遠心クラッチは、刃駆動軸に設置されるクラッチドラムと、モーターの出力端に設置され、クラッチドラム内に位置する遠心ピボット部品とが含有され、遠心ピボット部品により、クラッチ方式によりクラッチドラムを結合して前端の刈り刃を駆動する。
【０００３】
刃駆動軸を結合することに利用されるクラッチドラムは、図３と４のように、推進ボウル２０と連結ロッド３０とが含有され、推進ボウル２０は、円筒状ボウル体であり、端面に、結合孔２１が貫設され、連結ロッド３０は、内部に刃駆動軸を結合するための多角孔３１が貫設されるロッド体であり、連結ロッド３０の外周の一端に、環状結合突出３２が形成され、結合突出３２が形成された一端を垂直的に推進ボウル２０の結合孔２１に挿設して、結合突出３２を結合孔２１の周縁に半田付けすることにより、推進ボウル２０と連結ロッド３０とが結合される。
【０００４】
上記のクラッチドラムは、二つのパーツを半田付けすることにより構成されるため、両部分の間の結合強度が不足でありながら、半田付け加工による連結ロッド３０と推進ボウル２０との同軸度が良くなく、伝動の過程において、振れが発生し、そのため、伝動効率が低下するだけでなく、強度が不足であるため、全体の破壊に至る。
【考案の開示】
【考案が解決しようとする課題】
【０００５】
本考案の目的は、草刈機のクラッチ構造を提供する。
【課題を解決するための手段】
【０００６】
本考案は、推進ボウル部が含有され、当該推進ボウル部の中間から外へ垂直的に、一体成型である連接部が延伸され、当該連接部内に、刃駆動軸を結合するための多角孔が貫設され、草刈機の刃駆動軸を連接部に挿設し、また、推進ボウル部により、モーターが直接に駆動する遠心ピボット部品を結合することにより、刃駆動軸を結合する連接部が、推進ボウル部から延伸する一体成型であるため、全体の強度がより良く、同軸度が高くて、駆動する時、震動や振れが少なく、耐用寿命が向上される草刈機のクラッチ構造である。
【考案を実施するための最良の形態】
【０００７】
本考案は、クラッチドラムであり、図１と２のように、当該クラッチアッセンブリーは、一体的に鍛造され、推進ボウル部１０があり、当該推進ボウル部１０は、筒状の丸いボウル体で、内部に円柱状の収納槽１１が形成され、当該推進ボウル部１０の中間から、外へ垂直的に、一体成型である連接部１２が延伸し、当該連接部１２は、推進ボウル部１０の中間から外へ伸ばす円形状の強化体１２１と当該強化体１２１から外へ伸ばす円形状の棒部１２２があり、当該連接部１２内に多角孔１２３が貫設される。
【０００８】
本考案は、使用する時、草刈機の刃駆動軸を連接部１２の多角孔１２３に結合し、モーターの出力端の遠心ピボット部品を推進ボウル部１０の収納槽１１に設置することにより、本考案が一体鍛造であるため、推進ボウル部１Oと連接部１２との同軸度が高く、回転する時、振れが低減され、また、強い強度を有するため、耐用寿命が向上される。
【図面の簡単な説明】
【０００９】
【図１】本考案の立体外観図
【図２】本考案の断面図
【図３】既存のクラッチドラムの立体分解図
【図４】既存のクラッチドラムの組立て断面面図
【符号の説明】
【００１０】
本考案
１０          推進ボウル部
１１          収納槽
１２          連接部
１２１        強化体
１２２        円形状の棒部
１２３        多角孔
従来
２０          推進ボウル
２１          結合孔
３０          連結ロッド
３１          多角孔
３２          結合突出
【図１】
0003124074.tif 000003
【図２】
0003124074.tif 000004
【図３】
0003124074.tif 000005
【図４】
0003124074.tif 000006
(57)【要約】【課題】ロボットに搭載可能な、軽量で、小型で、大電流、高使用率のロボットシーム溶接機を提供すること。【解決手段】上、下のハウジング（１，１’）に設けられた２軸（１７，１８）を有する上、下の電極（２，３）と上、下のギヤーボックス（４，５）と、上、下部のギヤーボックス（４，５）に設けられた上、下部のサーボモータ（６，７）と、上のハウジング（１）の上部に設けられた溶接トランス（８）及び加圧シリンダ（９）と、当該溶接トランス（８）の内部に設けられたサーボモータ（６）と、当該加圧シリンダ（９）の上部に設けられたロボットマウント（１０）からなる小型、かつ軽量のシーム溶接機（２０）を，１軸から６軸（１１〜１６）で構成されるロボット本体（１９）の６軸（１６）目に取り着け、ロボット本体（１９）の６軸（１６）目とシーム溶接機（２０）の２軸（１７，１８）が同期すること。【選択図】図２
0003124033.tif 000002
【実用新案登録請求の範囲】
【請求項１】
上、下のハウジング（１，１’）に設けられた２軸（１７，１８）を有する上、下のシーム溶接用電極（２，３）と上、下のギヤーボックス（４，５）と、上、下部のギヤーボックス（４，５）に設けられた上、下部のサーボモータ（６，７）と、上のハウジング（１）の上部に設けられた溶接トランス（８）及び加圧シリンダ（９）と、当該溶接トランス（８）の内部に設けられたサーボモータ（６）と、当該加圧シリンダ（９）の上部に設けられたロボットマウント（１０）からなる小型、かつ軽量のシーム溶接機（２０）を，多軸で構成されるロボット本体（１９）に取り着け、ロボット本体（１９）とシーム溶接機（２０）の軸が同期して制御されることを特徴とするロボットシーム溶接機。
【考案の詳細な説明】
【技術分野】
【０００１】
本考案は、ロボット（ROBOT）に搭載することが出来るシーム溶接機に関する。
【背景技術】
【０００２】
従来のシーム溶接機は大型で重いものであった（例えば、実用新案登録文献１参照。）。従って、溶接ロボットに搭載することが出来なかった。
【０００３】
【特許文献１】特開平１１−３０９５８５号公報（図１）
【考案の開示】
【考案が解決しようとする課題】
【０００４】
そこで、本考案の目的は、溶接ロボットに搭載可能な、軽量で、小型で、大電流、高使用率のロボットシーム溶接機を提供することである。
【課題を解決するための手段】
【０００５】
前記目的を達成するため、本考案のロボットシーム溶接機は、上、下のハウジングに設けられた２軸を有する上、下の電極と上、下のギヤーボックスと、上、下部のギヤーボックスに設けられた上、下部のサーボモータと、上のハウジングの上部に設けられた溶接トランス及び加圧シリンダと、当該溶接トランスの内部に設けられたサーボモータと、当該加圧シリンダの上部に設けられたロボットマウントからなる小型、かつ軽量のシーム溶接機を，多軸で構成されるロボット本体に取り着け、ロボット本体とシーム溶接機の軸が同期することからなる。
【考案の効果】
【０００６】
本考案はシーム溶接機を小型かつ軽量にすることにより、ロボットにシーム溶接機を搭載することを可能としたものである。
【考案を実施するための最良の形態】
【０００７】
本考案の実施の形態の一例を図面にしたがって説明する。
図１は本考案の小型で軽量のシーム溶接機を示す図である。
図１により、ハウジング１，１’上の電極２，下の電極３，上のギヤーボックス４，下のギヤーボックス５，上のサーボモータ６，下のサーボモータ７，溶接トランス８，加圧シリンダ９，ロボットマウント１０が示されている。
【０００８】
従来の溶接トランスは非常に重く大型であったが、内部水冷によって冷却効率を高め、かつ接触部の発熱を抑えるために銀プレートで給電部を制作することにより大電流・大使用率のトランス８を確保することができるものである。
小型で大使用率の溶接トランス８を使用することにより、ハウジング１，１’も小型化が可能となり、シーム溶接機２０自体を小型で軽量にすることが出来たものである。
【０００９】
図２はロボット本体に小型で軽量のシーム溶接機を取り着けた状態を示す図である。
ロボット本体１９は１軸から６軸１１〜１６からなるものであり、ロボット本体１９の６軸１６の箇所に小型で軽量のシーム溶接機２０のロボットマウント１０を装着し、さらにロボット本体１９の６軸と当該シーム溶接機２０の２軸１７，１８が同期するようにロボット本体１９に当該シーム溶接機２０を取り着けるものである。
【００１０】
従来は、ロボットの軌跡に対して従動すること（電極の回転と同期する事）がむずかしかったが、今回シーム溶接機２０の７軸１７，８軸１８を使用してロボットの回転信号で電極２，３を回転させる。そして、ロボット本体１９の６軸１６＋シーム溶接機２０の７軸１７＋８軸１８で、両輪駆動させることでスリップせず、溶接することが出来る。
【００１１】
又、加圧力方向も、従来はピボットを中心に円弧に動いていたのを平行に加圧することで電極のあたりも良くなったものである。
【図面の簡単な説明】
【００１２】
【図１】本考案の小型で軽量のシーム溶接機を示す図である。
【図２】ロボット本体に小型で軽量のシーム溶接機を取り着けた状態を示す図である。
【符号の説明】
【００１３】
１  ハウジング
２  上の電極
３  下の電極
４  上のギヤーボックス
５  下のギヤーボックス
６  上のサーボ−モータ
７  下のサーボモータ
８  溶接トランス      
９  加圧シリンダ
１０  ロボットマウント
１１  １軸
１２  ２軸
１３  ３軸
１４  ４軸      
１５  ５軸      
１６  ６軸
１７  ７軸
１８  ８軸
１９  ロボット本体
２０  シーム溶接機
【図１】
0003124033.tif 000003
【図２】
0003124033.tif 000004
(57)【要約】【課題】診療の際、愛玩動物が暴れても獣医の手や腕を保護するとともに、指先の細かい作業を可能とする獣医用手袋を提供する。【解決手段】愛玩動物を診察または治療する際に使用する手袋であって、該手袋の指部３に切欠部５を設け、かつ該手袋の掌側に開孔部４を穿孔したことを特徴とする。前記手袋に、手首と肘の中間部まで延設するカバー体６を設けた。【選択図】図１
0003124035.tif 000002
【実用新案登録請求の範囲】
【請求項１】
愛玩動物を診察または治療する際に使用する手袋であって、該手袋の指部に切欠部を設け、かつ該手袋の掌側に開孔部を穿孔したことを特徴とする獣医用手袋。
【請求項２】
前記手袋に、手首と肘の中間部まで延設するカバー体を設けた請求項１記載の獣医用手袋。
【考案の詳細な説明】
【技術分野】
【０００１】
本考案は、獣医用手袋に関し、詳しくは獣医が愛玩動物を診察または治療する際、愛玩動物の牙や爪から手や腕を保護するとともに、指先の細かい作業を可能とする獣医用手袋に関する。
【背景技術】
【０００２】
従来、犬や猫などの愛玩動物の診療現場においては触診の必要性から、獣医は素手で愛玩動物を診察し、治療にあたっている。一方、近年のペットブームにより愛玩動物に関する商品が種々開発されている。手袋関連商品として、例えば、特許文献1においては、ペットをブラッシングする際、ブラッシングにムラを生じたりペットの体表面を傷付けたりせず且つ手入れが簡単なペット美容グローブが開示されている。
【特許文献１】実登録第３０２３１６１号公報（第１-２頁、図１、図２）
【考案の開示】
【考案が解決しようとする課題】
【０００３】
人間を診察する場合と異なり、犬や猫などの愛玩動物は鋭い爪や牙をもっているため、診療現場において診察の際に、暴れて噛みついたり爪で引っ掻いたりして獣医の手や腕が傷つけられることが問題であった。
【０００４】
しかし、上掲の特許文献１記載のペット美容グローブに限らず、市販のペット用グローブは、ペットのブラッシングを行うことを主目的とするなど、愛玩動物を診察し治療することは想定されておらず、指先の細かい作業や、掌を介しての感触が要求される診察や治療に使用することは困難であった。
【０００５】
そこで本考案の目的は、診療の際、愛玩動物が暴れても獣医の手や腕を保護するとともに、指先の細かい作業を可能とする獣医用手袋を提供することにある。
【課題を解決するための手段】
【０００６】
本考案者は、上記課題を解決すべく鋭意検討した結果、掌の一部および指先を露出するように形成した手袋により上記目的を達成し得ることを見出し、本考案を完成するに至った。
【０００７】
即ち、本考案の獣医用手袋は、愛玩動物を診察または治療する際に使用する手袋であって、該手袋の指部に切欠部を設け、かつ該手袋の掌側に開孔部を穿孔したことを特徴とするものである。本考案の獣医用手袋は、前記手袋に、手首と肘の中間部まで延設するカバー体を設けることが好ましい。
【考案の効果】
【０００８】
本考案の獣医用手袋によれば、手袋の掌側に開孔部を穿孔したことで、掌を介しての触診が可能であると同時に、この開孔部により通気性が得られ、汗による蒸れや不快感を解消することができる。また、指部に切欠部を設けたことにより、指先が露出して自由に動かすことができ、指先による触診が可能となるとともに、細かい治療行為を容易に行うことができる。さらに、手首と肘の中間部まで延設するカバー体を設けることで、診察や治療において愛玩動物が暴れた場合でも手首や腕をその爪や牙から保護することができる。
【考案を実施するための最良の形態】
【０００９】
以下、本考案の獣医用手袋における実施の形態を図面に基づいて説明する。
図示する獣医用手袋１は、愛玩動物を診察または治療する際に獣医が手に装着するものである。図１の（ａ）は獣医用手袋１の掌側を、（ｂ）は甲側をそれぞれ表す。獣医用手袋１は、手の甲や掌を覆う本体部２と、本体部２の先方に設けられた５本の指を挿入する指部３とからなる。
【００１０】
本考案の獣医用手袋１の材質は、伸縮性や柔軟性に優れ、適度の強度を有するものであれば特に制限されるものではないが、例えば、肉厚の織布、皮革、合成皮革、発泡樹脂等で形成することが好ましい。肉厚のこれら素材を使用することにより、診察中に愛玩動物が暴れて爪で引掻いたり牙で噛んだりしても、手の甲や掌に傷がつくのを防ぐことができる。これら獣医用手袋１は、装着しても使用感が損なわれず、作業に支障をきたすことはない厚さとすることが好ましい。
【００１１】
獣医用手袋１の本体部２の掌側には、開孔部４が穿孔されている。図示する開孔部４は、加工のし易さから掌の略中央部に円形状に穿設されているが、開孔部４は図示する形状に限定されたものではなく、楕円形状や矩形状とすることができ、扱う動物により適宜選定すればよい。開孔部４を設けることにより、掌による触診が可能となるとともに、装着時の通気性が確保され、汗や蒸れによる不快感を解消することができる。即ち、開孔部４が存在することにより、より素手に近い形での診察や治療が可能となる。
【００１２】
獣医用手袋１の指部３には切欠部５が設けられている。切欠部５は、指部３の基部近傍を切断することにより形成され、図示する指部３は第二関節付近で獣医用手袋１の指部３を切断することにより形成される。切欠部５を設けることにより、手袋装着時に５本の指先が露出されて指先を自由に動かすことができ、細かい指先作業が要求される診察や治療を自在に行うことができる。
【００１３】
本考案の獣医用手袋の好適例としては、本体部２の基部にカバー体６を設ける。カバー体６は腕にフィットする円筒状を呈しており、手首と肘の中間部または肘近傍まで延設される長さで形成されることが好ましい。カバー体６の材質は本体部２と同じ材質および肉厚としてもよく、あるいは爪や引掻に耐え得る織布としてもよい。
【００１４】
カバー体６を設けることにより、図２に示すように、診察または治療の際、愛玩動物が暴れて、牙で噛んだり爪で引掻いたりしても、手の甲はもとより、手首や腕を十分に保護することができる。
【図面の簡単な説明】
【００１５】
【図１】（ａ）は本考案の獣医用手袋の掌側を、（ｂ）は甲側を示す斜視図である。
【図２】前記獣医用手袋の使用状態を示す。
【符号の説明】
【００１６】
１      獣医用手袋
２      本体部
３      指部
４      開孔部
５      切欠部
６      カバー体
【図１】
0003124035.tif 000003
【図２】
0003124035.tif 000004